【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
表示領域に画像を表示する表示部と、
操作を受け付ける操作部と、
入力画像にマスク画像を重畳した重畳画像を生成する重畳部と、
前記操作部で受け付けた操作に従って前記入力画像と前記重畳画像とのいずれか一方を前記表示部に表示させる表示制御部と、を備え、
前記表示制御部は、前記表示部が前記入力画像を表示する場合に、前記操作部で受け付けた操作に従って前記入力画像を前記表示領域内でスクロールさせ、前記表示部が前記重畳画像を表示する場合に、前記操作部で受け付けた操作に従って前記重畳画像を構成する前記入力画像を前記表示領域内でスクロールさせ、
前記表示部が前記重畳画像を表示する場合に、前記重畳画像を構成する前記入力画像をスクロールさせるスクロール範囲は、前記表示部が前記入力画像を表示する場合に、前記入力画像をスクロールさせるスクロール範囲より広い表示装置。
【請求項２】
前記表示制御部は、前記表示部が前記重畳画像を表示する場合に、前記入力画像の外側のブランク領域を含んで前記入力画像を前記表示領域内でスクロールさせ、
前記表示部が前記入力画像を表示する場合に、前記入力画像の外側のブランク領域を含まないように前記入力画像を前記表示領域内でスクロールさせる請求項１記載の表示装置。
【請求項３】
前記マスク画像は、前記重畳画像において前記入力画像がマスクされるマスク領域と、前記入力画像がマスクされない非マスク領域と、を有し、
前記表示制御部は、前記入力画像の外側のブランク領域を含む範囲に前記非マスク領域が重畳される場合に、前記操作部で受け付けた操作を無効と判定する請求項１又は２記載の表示装置。
【請求項４】
前記表示制御部は、前記操作部で受け付けた操作に従って前記マスク画像が重畳される前記入力画像の位置を変更させ、前記重畳画像に表示される前記入力画像の範囲を変更する請求項３記載の表示装置。
【請求項５】
前記マスク画像は、前記重畳画像において前記入力画像がマスクされるマスク領域と、前記入力画像がマスクされない非マスク領域と、を有し、
前記マスク領域は第１の画像データにより形成される領域であり、
前記表示制御部は、前記表示部が前記重畳画像を表示する状態で、前記操作部で受け付けた操作に従って、前記重畳画像の外側を含む範囲を前記表示領域に表示させる場合、前記重畳画像の外側に対応する前記表示領域の領域に前記第１の画像データに基づく第１の画像を表示させる請求項１又は２に記載の表示装置。
【請求項６】
前記マスク画像は、前記マスク画像の所定範囲を前記非マスク領域とし、前記所定範囲以外の範囲を前記マスク領域とする画像である請求項１から５のいずれか１項に記載の表示装置。
【請求項７】
前記表示制御部は、前記操作部で受け付けた操作に従って、前記重畳画像を構成する前記入力画像を拡大させる請求項１から６のいずれか１項に記載の表示装置。
【請求項８】
表示領域に画像を表示する表示部と、操作を受け付ける操作部と、入力画像にマスク画像を重畳した重畳画像を生成する重畳部と、を備える表示装置の制御方法であって、
前記操作部で受け付けた操作に従って前記入力画像と前記重畳画像とのいずれか一方を前記表示部に表示させ、
前記表示部が前記入力画像を表示する場合に、前記操作部で受け付けた操作に従って前記入力画像を表示領域内でスクロールさせ、
前記表示部が前記重畳画像を表示する場合に、前記操作部で受け付けた操作に従って前記重畳画像を構成する前記入力画像を前記表示領域内でスクロールさせ、
前記表示部が前記重畳画像を表示する場合に、前記重畳画像を構成する前記入力画像をスクロールさせるスクロール範囲は、前記表示部が前記入力画像を表示する場合に、前記入力画像をスクロールさせるスクロール範囲より広い表示装置の制御方法。
【請求項９】
前記表示部が前記重畳画像を表示する場合に、前記入力画像の外側のブランク領域を含んで前記入力画像を前記表示領域内でスクロールさせ、
前記表示部が前記入力画像を表示する場合に、前記入力画像の外側のブランク領域を含まないように前記入力画像を前記表示領域内でスクロールさせる請求項８記載の表示装置の制御方法。
【請求項１０】
前記マスク画像は、前記重畳画像において前記入力画像がマスクされるマスク領域と、前記入力画像がマスクされない非マスク領域と、を有し、
前記入力画像の外側のブランク領域を含む範囲に前記非マスク領域が重畳される場合に、前記操作部で受け付けた操作を無効と判定する請求項８又は９記載の表示装置の制御方法。
【請求項１１】
前記操作部で受け付けた操作に従って前記マスク画像が重畳される前記入力画像の位置を変更させて、前記重畳画像に表示される前記入力画像の範囲を変更する請求項１０記載の表示装置の制御方法。
【請求項１２】
前記マスク画像は、前記重畳画像において前記入力画像がマスクされるマスク領域と、前記入力画像がマスクされない非マスク領域と、を有し、
前記マスク領域は第１の画像データにより形成される領域であり、
前記表示部が前記重畳画像を表示する状態で、前記操作部で受け付けた操作に従って、前記重畳画像の外側を含む範囲を前記表示領域に表示させる場合、前記重畳画像の外側に対応する前記表示領域の領域に前記第１の画像データに基づく第１の画像を表示させる請求項８又は９に記載の表示装置の制御方法。
【請求項１３】
前記マスク画像は、前記マスク画像の所定範囲を前記非マスク領域とし、前記所定範囲以外の範囲を前記マスク領域とする画像である請求項８から１２のいずれか１項に記載の表示装置の制御方法。
【請求項１４】
前記操作部で受け付けた操作に従って、前記重畳画像を構成する前記入力画像を拡大させる請求項８から１３のいずれか１項に記載の表示装置の制御方法。
【手続補正２】
【補正対象書類名】明細書
【補正対象項目名】００１９
【補正方法】変更
【補正の内容】
【００１９】
【図１】プロジェクターの構成を示す構成図。
【図２】マスク画像データの一例を示す図。
【図３】表示制御部の動作を示すフローチャート。
【図４】表示制御部の動作を示すフローチャート。
【図５】画像データの一例を示す図。
【図６】スクリーンに表示された合成画像を示す図。
【図７】判定範囲を示す図。
【図８】画像データのブランク領域が判定範囲内に含まれる場合を示す図。
【図９】画像データ及びマスク画像データが展開されたフレームメモリーを示す図。
【図１０】スクリーンに表示された合成画像を示す図。
【図１１】合成画像データが展開されたフレームメモリーを示す図。
【図１２】表示制御部の動作を示すフローチャート。
【手続補正３】
【補正対象書類名】明細書
【補正対象項目名】００４０
【補正方法】変更
【補正の内容】
【００４０】
制御部１７０は、ハードウェアとしてＣＰＵ（Central Processing Unit）等のプロセッサーや、ＲＯＭ（read only memory）、ＲＡＭ（Random access memory）、その他の周辺回路（いずれも不図示）等を備え、プロジェクター１００の各部を制御する。
ＲＯＭは、不揮発性のメモリーであり、例えば、ファームウェア等の制御プログラムや演算データを記憶する。ＲＡＭは、プロセッサーが実行するファームウェアや演算データを一時記憶するワークエリアとして使用される。プロセッサーは、ＲＯＭや記憶部１６０から読み出した制御プログラムをＲＡＭに展開し、展開した制御プログラムを実行することによりプロジェクター１００の各部を制御する。
なお、このプロセッサーが光源駆動部１２１、光変調部駆動部１２２、投射光学系駆動部１２３、入出力Ｉ／Ｆ部１３３、画像処理部１５３等の機能を実行するようにしてもよい。
また、一つのプロセッサー（又は半導体チップ）で制御部１７０の機能（又は制御部１７０の機能に加えて、光源駆動部１２１、光変調部駆動部１２２、投射光学系駆動部１２３、入出力Ｉ／Ｆ部１３３、画像処理部１５３、画像合成部１５５等の機能）を実行するようにしてもよい。また、複数のプロセッサー（又は半導体チップ）で制御部１７０の機能（又は制御部１７０の機能に加えて、光源駆動部１２１、光変調部駆動部１２２、投射光学系駆動部１２３、入出力Ｉ／Ｆ部１３３、画像処理部１５３、画像合成部１５５等の機能）を実行するようにしてもよい。